【手続補正書】
【提出日】平成19年6月11日(2007.6.11)
【手続補正１】
【補正対象書類名】特許請求の範囲
【補正対象項目名】全文
【補正方法】変更
【補正の内容】
【特許請求の範囲】
【請求項１】
以下：
容器の一端にくびれ部を有し、そのくびれ部の容器出口開口部において開放されている以外は閉鎖された弾性容器、
端壁、及び、端壁から、側壁上部へ向かって上方へ伸びる側壁を有するキャップ、
側壁を貫通するキャップ出口開口部、
くびれ部とキャップの側壁の間の仕切られた部分であって、くびれ部の外側でかつ側壁の内側にある、容器出口開口部及びキャップ出口開口部の両方で開放されている流路、
キャップの内側で、かつキャップの端壁の上方、かつ容器出口開口部より少なくとも少し下に配置されている、軸を中心に回転できる回転翼：
を含み、
前記キャップはくびれ部がキャップの中に入る形でくびれ部を収容でき、
くびれ部を取り囲む、キャップの前記側壁上部は、くびれ部と係合することによって流体の浸透を防止する密閉部を形成し、
キャップの側壁は軸の周りに配置され、
容器出口開口部はキャップの側壁の内側に同軸方向に配置され、
回転翼は、回転すると、容器出口開口部から流出した回転翼の上にある流体を受けとり、液体を外側へ放射状に流路に向けて送り出すことで、回転翼の回転によって流体を強制的に流路へと流入させてキャップ出口開口部から液体を吐出する
ことを特徴とする液体ディスペンサー。
【請求項２】
前記キャップが前記くびれ部を収容でき、キャップを軸中心に回転させることによって開いた状態と閉じた状態のいずれをも採ることができるものであって
閉じた状態においては、容器出口開口部を取り囲むくびれ部がキャップの側壁と係合することで容器出口開口部と流路の連絡を遮断し、
開いた状態においては、容器出口開口部を取り囲むくびれ部とキャップの側壁との間に間隔があいていて、容器出口開口部と流路とがつながっている
ことを特徴とする請求項１に記載の液体ディスペンサー。
【請求項３】
前記くびれ部が容器の他の部分よりも低い位置になるよう容器を逆さにした場合に、前記容器出口開口部はキャップ出口開口部より低い位置にあり、
前記回転翼が回転することによって強制的に流体を流路へと流入させて、それにより流路中の液面をキャップ出口開口部よりも高い位置にまで上げてキャップ出口開口部から液体が吐出されるようにしたものであり、
前記回転翼は、未回転時には、キャップ出口開口部から容器出口開口部へと向かう空気の流れを妨げないものである
請求項１または２記載の液体ディスペンサー。
【請求項４】
回転翼は、回転していない場合に、キャップと容器との間の空気又は流体の流動を妨げない
ことを特徴とする請求項１、２または３に記載の液体ディスペンサー。
【請求項５】
回転翼、キャップ及び容器くびれ部は組み合わさって渦巻きポンプを形成し、その渦巻きポンプによって流体が容器出口開口部から流路へと放射状に流される
ことを特徴とする請求項１〜４のいずれか一項に記載の液体ディスペンサー。
【請求項６】
軸と垂直方向に切断した場合のキャップの断面は円形であり、軸と垂直方向に切断した場合の容器くびれ部の断面も円形であり、かつ、
流路は軸を中心とした環状である
ことを特徴とする請求項１〜５のいずれか一項に記載の液体ディスペンサー。
【請求項７】
回転翼の半径は容器出口開口部の半径よりも実質的に小さい
ことを特徴とする請求項１〜６のいずれか一項に記載の液体ディスペンサー。
【請求項８】
回転翼の半径は小さくても容器出口開口部の半径と同じである
ことを特徴とする請求項１〜７のいずれか一項に記載の液体ディスペンサー。
【請求項９】
キャップの側壁の円筒状の下部の半径は回転翼の半径よりもわずかに大きい
ことを特徴とする請求項１〜８のいずれか一項に記載の液体ディスペンサー。
【請求項１０】
容器くびれ部が、端部に容器出口開口部を有する円筒状部分を有し、その円筒状部分の半径は、キャップの円筒状の下部の半径と実質的に同じである
ことを特徴とする請求項１〜９のいずれか一項に記載の液体ディスペンサー。
【請求項１１】
キャップの側壁は円筒状の下部から上向きに開いていて漏斗状になっている
ことを特徴とする請求項９に記載の液体ディスペンサー。
【請求項１２】
容器は、本来の形は一定の内容積を有するが、弾性があって変形可能であり、
弾性を有するために、圧力がかかって本来の形とは異なる形に変形されて容積が本来の容積よりも小さくなった後に、圧力を除去すると、容器の弾性によって本来の形に戻ろうとし、これにより容器内部が減圧状態になり、
容器が、逆さ状態になっている場合に、本来の形とは異なる形に変形されると、容器の中の液体が容器出口開口部から流路を通って容器の外へ流出させられてキャップ出口開口部へと流され、
逆さ状態の容器内部が減圧状態である場合に、キャップの中の液体は容器の中に引き戻されてキャップの中の液面が容器出口開口部よりも下になり、容器出口開口部がキャップの中の空気とつながって、キャップの中の空気が重力によりくびれ部を通って容器の中へと上昇し、容器内部の減圧度を下げ、
容器出口開口部が容器の中の液面よりも下にあって、容器内部の圧力が大気圧である場合に、容器から排出された液体によって重力によりくびれ部及び流路が満たされ、液面が容器出口開口部よりも高くかつキャップ出口開口部よりも低くなる
ことを特徴とする請求項１〜１１のいずれか一項に記載の液体ディスペンサー。
【請求項１３】
キャップはくびれ部に対して、キャップによって流路を流体が流動できないような閉じた状態と流路が開いていて流体が流動できる開いた状態との間で動くことができる
ことを特徴とする請求項１、２または３に記載の液体ディスペンサー。
【請求項１４】
閉じた状態において、キャップの端壁がくびれ部と係合することによって容器出口開口部が塞がれて流体がその間を通過できず、開いた状態において、この端壁は容器出口開口部から離れて空間があいている
ことを特徴とする請求項１３に記載の液体ディスペンサー。
【請求項１５】
キャップの側壁がくびれ部を取り囲むように軸方向が同じになるように配置され、キャップはくびれ部に対して開いた状態と閉じた状態との間で軸を中心に動くことができる
ことを特徴とする請求項１４に記載の液体ディスペンサー。
【請求項１６】
回転翼に連結したモーターを含む液体ディスペンサーであって、
モーターはキャップの端壁の下に配置され、
前記シャフトが軸を中心に回転可能であり、密閉状態のままキャップの端壁を貫通していて、その下端でモーターと、上端で回転翼と連結している
ことを特徴とする請求項１〜１５のいずれか一項に記載の液体ディスペンサー。
【請求項１７】
キャップが更に支持部を含み、この支持部は下へ伸びていてその先は土台面になっており、平坦な作業台に取り付けて払出し使用時にディスペンサーを垂直方向に支持できる
ことを特徴とする請求項１〜１６のいずれか一項に記載の液体ディスペンサー。
【請求項１８】
チャンバーがキャップの土台の下の、支持部内の仕切られた部分であって、このチャンバーの中にモーターが配置されている
ことを特徴とする請求項１７に記載の液体ディスペンサー。
【請求項１９】
モーターが電動モーターであり、モーター作動用のバッテリーがチャンバーの中に配置されている
ことを特徴とする請求項１８に記載の液体ディスペンサー。
【請求項２０】
回転翼に連結され、作動時にその回転翼を回転させるモーターと、モーターを作動させるためのスイッチ機構を含む液体ディスペンサーであって、
液体は、モーター作動時に回転翼の回転によって、又は、容器を手で圧縮することによって払い出されることが可能である
ことを特徴とする請求項１２〜１７のいずれか一項に記載の液体ディスペンサー。
【請求項２１】
容器の側面についた第一の部分、及び、手で動かして第一の部分が容器の側面を圧迫して内容積を小さくできる第二の部分を有するレバーのうちの一つから選択される、容器を圧縮するための手動の機構、及び、
容器の側壁の一部であって、手で変形させて内容積を小さくするための膨らんだ弾性部分を含む
ことを特徴とする請求項２０に記載の液体ディスペンサー。
【請求項２２】
回転翼に磁気的に連結していて回転翼を回転させるためのモーターを含む
ことを特徴とする請求項１〜２１のいずれか一項に記載の液体ディスペンサー。